(57)【要約】【課題】棚部の拡大に関わる制約を減じる。そして棚部の大きな調剤台を実現する。【解決手段】多数の薬剤を並べて保持しうる棚部２０と、棚部２０を下から支える台部３０と、調剤時に薬剤や処方箋などの調剤対象部材を載せておくのに使用される載置受部材３２とを具備した調剤台１０について、載置受部材３２が台部３０から前方へ進退しうるようにする。また、載置受部材３２は横に分割して個々に進退しうるようにする。さらに、棚部２０を複数の区分棚２１，２１に分割して区分棚２１が個々に前方へ引き出せるようにする。また、側方へ進退しうる区分受部材２６を区分棚２１に付設しておき、調剤時には区分受部材２６を調剤対象部材の載置に用いる。【選択図】        図１
2020146192.tif 000002
【特許請求の範囲】
【請求項１】
多数の薬剤を並べて保持しうる棚部と、この棚部を下から支える台部と、調剤時に調剤対象部材を載せておくのに使用される載置受部材とを具備した調剤台において、
前記載置受部材が前記調剤対象部材を載せておけるほど前記台部から前方へ突き出た調剤時使用可能状態と前記調剤対象部材を載せておけるほどは前記台部から前方へ突き出でていない不使用時状態とを選択的に採りうる可動状態で前記台部に付設されていることを特徴とする調剤台。
【請求項２】
多数の薬剤を並べて保持しうる棚部と、この棚部を下から支える台部と、調剤時に調剤対象部材を載せておくのに使用される載置受部材とを具備した調剤台において、
前記載置受部材が前記台部から前方へ進退可能な状態で前記台部に付設されていることを特徴とする調剤台。
【請求項３】
前記載置受部材が横方向位置の異なる複数の部材に分かれており、それらの部材が個別可動になっていることを特徴とする請求項１又は請求項２に記載された調剤台。
【請求項４】
前記載置受部材に不使用時状態を継続させる状態安定化手段が設けられていることを特徴とする請求項１乃至請求項３の何れかに記載された調剤台。
【請求項５】
前記棚部が複数の区画に分けられており、そのうち一以上の区画には前方へ引出可能な区分棚が装備されており、調剤時に調剤対象部材を載せておくのに使用される区分受部材が前記調剤対象部材を載せておけるほど前記区分棚から側方へ突き出た調剤時使用可能状態と前記区分棚の前記棚部への収納を妨げるほどは前記区分棚から側方へ突き出でていない不使用状態とを選択的に採りうる可動状態で前記区分棚に付設されていることを特徴とする請求項１乃至請求項４の何れかに記載された調剤台。
【請求項６】
多数の薬剤を並べて保持しうる棚部と、この棚部を下から支える台部とを具備した調剤台において、
前記棚部が複数の区画に分けられており、そのうち一以上の区画には前方へ引出可能な区分棚が装備されており、調剤時に調剤対象部材を載せておくのに使用される区分受部材が前記調剤対象部材を載せておけるほど前記区分棚から側方へ突き出た調剤時使用可能状態と前記区分棚の前記棚部への収納を妨げるほどは前記区分棚から側方へ突き出でていない不使用状態とを選択的に採りうる可動状態で前記区分棚に付設されていることを特徴とする調剤台。
【請求項７】
前記区分受部材の前記可動状態が前記区分棚から進退可能な状態であることを特徴とする請求項５又は至請求項６に記載された調剤台。
【請求項８】
前記区分受部材に不使用時状態を継続させる状態安定化手段が設けられていることを特徴とする請求項５乃至請求項７の何れかに記載された調剤台。
【請求項９】
前記区分棚の両側面のうち何れか一方または双方が薬剤を出し入れ可能なように解放されていることを特徴とする請求項５乃至請求項８の何れかに記載された調剤台。
【請求項１０】
薬剤の滑り落ちを防止する塀状部材が前記区分棚の解放側面寄りの部位に設けられていることを特徴とする請求項９記載の調剤台。
【請求項１１】
前記棚部の下面が前記台部の上面を覆っていることを特徴とする請求項１乃至請求項１０の何れかに記載された調剤台。
【発明の詳細な説明】
【技術分野】
【０００１】
この発明は、各種の薬剤を並べて保持するとともに、それらの薬剤から必要なものを収集や調製する調剤作業に場所を提供することも行う調剤台に関する。
【背景技術】
【０００２】
調剤台は、多数の薬剤を並べて保持しうる棚部と、この棚部を下から支える台部と、調剤時に調剤対象部材を載せておける載置受部材とを具備したものである。
載置受部材に載せ置く調剤対象部材には、調剤対象薬剤だけでなく、調剤指示部材も含まれる。そのうち、調剤対象薬剤には、当該の調剤台の棚部から収集された薬剤が該当するのに加えて、他の調剤台の棚部などから収集された薬剤まで含まれることもある。
また、調剤指示部材は、調剤対象薬剤の処方箋や調剤指示箋が典型的なものであるが、その内容を表示しうる固定のディスプレイや携帯端末の画面表示器などのこともある。
【０００３】
従来の調剤台では（例えば特許文献１，２参照）、調剤台の前方空間が通路や調剤者立ち位置として使用されることを前提に、台部が下側に配置され、そのうえで、台部の上面部分のうち後半部に対して棚部が立設されるとともに、台部の上面部分のうち前半部に対して載置用板体（載置受部材）が上面露出状態で横置きされていた。
このように棚部が台部に比べて前後に薄くて棚部に並べて置ける薬剤収容箱などの数には限りがあることから、棚部の薬剤保持量を拡大するべく、棚部の上方にスライド昇降棚を付設したり（例えば特許文献１参照）、棚部を前後二段に分割したうえで前段の棚を横スライド可能にまでしたり（例えば特許文献２参照）、棚部の改良が試みられている。
【先行技術文献】
【特許文献】
【０００４】
【特許文献１】特開２０１０−１７２５０２号公報
【特許文献２】特開２０１２−００５８０８号公報
【発明の概要】
【発明が解決しようとする課題】
【０００５】
しかしながら、新薬の開発やジェネリック医薬品の使用増加などによって薬剤の種類が増えており、棚部薬剤保持量には更なる拡大の要求が強まっている。しかも、台部の占有面積については拡大しないのが望ましく、そのような制約の下であっても棚部薬剤保持量は増えて調剤作業も行える、との要件を満たす調剤台に対する要望が高まっている。
増築や区画拡大などによる設備占有域拡張が難しい小規模な調剤薬局などでは、その多くが、調剤台の数を増やすことも調剤台の台部を大きくすることも儘ならないといった状況に置かれているため、薬剤保持量の大きな調剤台に対する期待が特に強まっている。
そこで、棚部の大きな調剤台を実現することが重要な技術課題となる。また、その課題の解決に資するべく棚部の拡大に関わる制約を減じることが基本的な技術課題となる。
【課題を解決するための手段】
【０００６】
本発明の調剤台は（解決手段１）、上述した基本的な技術課題を解決するために創案されたものであり、
多数の薬剤を並べて保持しうる棚部と、この棚部を下から支える台部と、調剤時に調剤対象部材を載せておくのに使用される載置受部材とを具備した調剤台において、
前記載置受部材が前記調剤対象部材を載せておけるほど前記台部から前方へ突き出た調剤時使用可能状態と前記調剤対象部材を載せておけるほどは前記台部から前方へ突き出でていない不使用時状態とを選択的に採りうる可動状態で前記台部に付設されていることを特徴とする。
【０００７】
また、本発明の調剤台は（解決手段２）、上述した基本的な技術課題を解決するために創案されたものであり、
多数の薬剤を並べて保持しうる棚部と、この棚部を下から支える台部と、調剤時に調剤対象部材を載せておくのに使用される載置受部材とを具備した調剤台において、
前記載置受部材が前記台部から前方へ進退可能な状態で前記台部に付設されていることを特徴とする。
【０００８】
さらに、本発明の調剤台は（解決手段３）、上記解決手段１，２の調剤台であって、前記載置受部材が横方向位置の異なる複数の部材に分かれており、それらの部材が個別可動になっていることを特徴とする。
【０００９】
また、本発明の調剤台は（解決手段４）、上記解決手段１〜３の調剤台であって、前記載置受部材に不使用時状態を継続させる状態安定化手段が設けられていることを特徴とする。
【００１０】
また、本発明の調剤台は（解決手段５）、上記解決手段１〜４の調剤台であって、前記棚部が複数の区画に分けられており、そのうち一以上の区画には前方へ引出可能な区分棚が装備されており、調剤時に調剤対象部材を載せておくのに使用される区分受部材が前記調剤対象部材を載せておけるほど前記区分棚から側方へ突き出た調剤時使用可能状態と前記区分棚の前記棚部への収納を妨げるほどは前記区分棚から側方へ突き出でていない不使用状態とを選択的に採りうる可動状態で前記区分棚に付設されていることを特徴とする。
【００１１】
また、本発明の調剤台は（解決手段６）、上述した基本的な技術課題を解決するために創案されたものであり、
多数の薬剤を並べて保持しうる棚部と、この棚部を下から支える台部とを具備した調剤台において、
前記棚部が複数の区画に分けられており、そのうち一以上の区画には前方へ引出可能な区分棚が装備されており、調剤時に調剤対象部材を載せておくのに使用される区分受部材が前記調剤対象部材を載せておけるほど前記区分棚から側方へ突き出た調剤時使用可能状態と前記区分棚の前記棚部への収納を妨げるほどは前記区分棚から側方へ突き出でていない不使用状態とを選択的に採りうる可動状態で前記区分棚に付設されていることを特徴とする。
【００１２】
また、本発明の調剤台は（解決手段７）、上記解決手段５，６の調剤台であって、前記区分受部材の前記可動状態が前記区分棚から進退可能な状態であることを特徴とする。
【００１３】
また、本発明の調剤台は（解決手段８）、上記解決手段５〜７の調剤台であって、前記区分受部材に不使用時状態を継続させる状態安定化手段が設けられていることを特徴とする。
【００１４】
また、本発明の調剤台は（解決手段９）、上記解決手段５〜８の調剤台であって、前記区分棚の両側面のうち何れか一方または双方が薬剤を出し入れ可能なように解放されていることを特徴とする。
【００１５】
また、本発明の調剤台は（解決手段１０）、上記解決手段９の調剤台であって、薬剤の滑り落ちを防止する塀状部材が前記区分棚の解放側面寄りの部位に設けられていることを特徴とする。
【００１６】
また、本発明の調剤台は（解決手段１１）、上記解決手段１〜１０の調剤台であって、前記棚部の下面が前記台部の上面を覆っていることを特徴とする。
【発明の効果】
【００１７】
このような本発明の調剤台にあっては（解決手段１）、調剤時に調剤対象部材を載せておくのに使用される載置受部材を、棚部より下に位置する台部に可動状態で付設して、載置受部材の姿勢が調剤時使用可能状態と不使用時状態とで切り替えられるとともに、調剤時に使用したいときには、台部から前方へ突き出させて使用可能状態にできるようにしたことにより、一時的に調剤台の前方空間を占めるが載置受部材として必要な役目を果たすことができる。これに対し、載置受部材が必要でないときには、それを不使用時状態にしておくことで、調剤台の前方空間が通行等の可能状態に戻るので、設備占有面積の恒久的な拡大を回避することができる。
【００１８】
このように載置受部材を台部上面に固定しておくのでなく載置受部材を調剤に必要なときだけ台部前方に発現させうるようにしたことにより、棚部が台部の上面を占める割合を拡大しても必要な調剤作業は行うことができるので、棚部の拡大に関わる制約が減じられることとなる。
したがって、この発明によれば、棚部の大きな調剤台を実現するのに資することができて、上述した基本的な技術課題が解決される。
【００１９】
また、本発明の調剤台にあっては（解決手段２）、載置受部材を台部から進退させることで載置受部材の姿勢を切り替えられるようにしたことにより、載置受部材が不使用時には台部にこぢんまり収まるので、可動式の載置受部材を付設しても台部の受ける影響が小さくて済む。
【００２０】
さらに、本発明の調剤台にあっては（解決手段３）、載置受部材を横方向位置の異なる複数の部材に分けたうえで、それぞれを個別に使用しうるようにしたことにより、一部の載置受部材を前方へ突き出させて調剤対象部材を載せる一方、残りの載置受部材は前方へ不所望には突き出させないで、その前方空間を調剤者立ち位置として使用することができるため、調剤台の横幅が大きいような場合でも、楽な姿勢で調剤を行うことができる。
【００２１】
また、本発明の調剤台にあっては（解決手段４）、状態安定化手段を設けて載置受部材が不使用時状態を維持しやすいようにしたことにより、付近の通過や薬剤収容状態の確認など載置受部材を使わないときにまで載置受部材が前方へ大きく突き出て邪魔になるといった不所望な事態の発生を未然かつ簡便に防止することができる。
【００２２】
また、本発明の調剤台にあっては（解決手段５，６）、棚部を複数の区画に分けて何れかの区画あるいは総ての区画に前方へ引出可能な区分棚を装備させたことにより、棚部の奥行きが大きくなっても区分棚を引き出せば少なくとも側面は露出するので最奥にまで楽に手が届くうえ、棚の引き出しは、区画された小部分が対象なので、楽に調剤できる。
しかも、調剤時に調剤対象部材を載せておくのに使用される区分受部材を区分棚に付設したうえで、更に、区分受部材の姿勢が調剤時使用可能状態と不使用時状態とで切り替えられるとともに、調剤時に使用したいときには、引き出した区分棚から側方へ突き出させて使用可能状態にできるようにもしたことにより、一時的に調剤台の前方空間の一部を占めるが区分受部材として必要な役目を果たさせることができる。
【００２３】
これに対し、区分受部材が必要でないときにはそれを不使用時状態にすることで、設備占有面積の拡大を回避することができるとともに、区分棚を棚部へ戻すのを許容する状態に姿勢を切り替えさせることまでできる。
このように区分受部材を区分棚に固定しておくのでなく区分受部材を調剤に必要なときだけ付設先の側方に発現させうるようにしたことにより、棚部が台部の上面を占める割合を拡大しても、必要な調剤作業は行うことができるうえ、区分棚の出し入れまで妨げられることなく円滑に行えるので、棚部の拡大に関わる制約が減じられることとなる。
したがって、この発明によれば、棚部の大きな調剤台を実現するのに資することができて、上述した基本的な技術課題が解決される。
【００２４】
また、本発明の調剤台にあっては（解決手段７）、区分受部材を区分棚から進退させることで区分受部材の姿勢を切り替えられるようにしたことにより、区分受部材が不使用時には区分棚にこぢんまり収まるので、区分受部材を付設しても区分棚の受ける影響が小さくて済む。
【００２５】
また、本発明の調剤台にあっては（解決手段８）、状態安定化手段を設けて区分受部材が不使用時状態を維持しやいようにしたことにより、付近の通過や薬剤収容状態の確認さらには区分棚の出し入れなど区分受部材を使わないときにまで区分受部材が側方へ突き出て邪魔になるといった不所望な事態の発生を未然かつ簡便に防止することができる。
【００２６】
また、本発明の調剤台にあっては（解決手段９）、区分棚の両側面のうち少なくとも一面については、完全に塞ぐことはしないで、少なくとも薬剤を出し入れ可能な程度には解放し、望ましくは薬剤を容易に出し入れできる程度まで大きく解放したことにより、棚部の拡大のために区分棚が奥行きの長いものになっていても、棚部を引き出して露出した側面から薬剤を出し入れすることができ、そのため調剤が楽なものになる。
【００２７】
また、本発明の調剤台にあっては（解決手段１０）、薬剤の滑り落ちを防止する塀状部材を区分棚の解放側面寄り部位に設けたことにより、区分棚の側面を大きく解放したとしても、そこからの不所望な薬剤の滑り落ちは防止することができる。
しかも、付設するのは比較的簡素な塀状部材なので、簡便かつ安価に実施することができる。
【００２８】
また、本発明の調剤台にあっては（解決手段１１）、棚部の下面が台部の上面を覆うところまで棚部を大きくしたことにより、本発明の遣り方では限界と言えるほど棚部の大きい調剤台が実現されるので、上述した重要な技術課題が明確に解決される。
【図面の簡単な説明】
【００２９】
【図１】本発明の実施例１について、調剤台の構造を示し、（ａ）が正面図、（ｂ）が右側面図、（ｃ）が斜視図である。
【図２】その調剤台の使用態様を示す斜視図である。
【図３】本発明の実施例２について、調剤台の構造を示し、（ａ）が平面図、（ｂ）が正面図、（ｃ）が右側面図、（ｄ）が斜視図である。
【発明を実施するための形態】
【００３０】
このような本発明の調剤台について、これを実施するための具体的な形態を、以下の実施例１〜２により説明する。
図１〜２に示した実施例１は、上述した解決手段１〜１１（出願当初の請求項１〜１１）を総て具現化したものであり、図３に示した実施例２は、その変形例である。
【実施例１】
【００３１】
本発明の調剤台の実施例１について、その具体的な構成を、図面を引用して説明する。図１は、調剤台１０の外観図であり、（ａ）が正面図、（ｂ）が右側面図、（ｃ）が斜視図である。
【００３２】
調剤台１０は、上側の棚部２０と下側の台部３０とを重ねて連ねたものであり、一枚物からなる側板等を用いて一体化されていても良いが、ここでは別体の両部２０，３０を上下に重ねたものを図示しており、棚部２０の底板と台部３０の天板とが同一サイズで、棚部２０の下面が台部３０の上面を完全に覆っている。
【００３３】
棚部２０は、ＰＴＰ包装の錠剤や，シート包装の散薬，小瓶入り液剤といった各種の比較的ちいさな薬剤を保持するためのものであり、種類の多い薬剤の出し入れが遣りやすいよう上側に配置されている。多数の薬剤を並べて保持できるように、薬剤を載せて置くための棚板２３が図示の例では８行７列のマトリクス状に配設されている。
種類の異なる薬剤が混じらないよう、薬剤は適宜な上面解放の小箱（後述する薬剤容器４３等のケース）などに収容して区分けされ、棚板２３上に並べて置かれる。
【００３４】
台部３０は、そのような棚部２０を下から支えるとともに、調剤時に調剤対象部材を載せておくのに使用される載置受部材３２を上部に装備しているものであるが、その上部を除いた大部分は、大きな薬剤やその他の器具なども収容できようになっており、戸棚になっているものもあるが、図示のものでは大きめの引出３１が幾つか配設されている。
載置受部材３２は、台部３０に固定された天板ではなくなって、その天板に代わって当該位置に配された少し厚めの引出用枠部に対して進退可能な状態で組み込まれた可動式の板状体になっており、図示の例では、左右に一つずつ、合計で二つ、設けられている。
【００３５】
このような載置受部材３２，３２は、横方向位置の異なる複数の部材に分かれていて、個々の載置受部材３２を他の載置受部材３２の状態と無関係に進退させることができるものである。そして、そのような載置受部材３２は、何れも、前方へ引き出せば、台部３０から前方へ突き出た調剤時使用可能状態になって、平坦な上面が載置受部材としての機能を発揮するようになっている。一方、載置受部材３２を後方へ押し込めば、小さな把手３３以外は台部３０に収納されるので、台部３０から前方へ殆ど突き出さない不使用時状態になって、調剤台１０の前方の通行といった機能を毀損しないようにもなっている。
【００３６】
棚部２０について更に説明すると、前面解放の枠体の中が複数の区画に分けられている。本例の棚部２０では、七つの縦長区画に分割されて横一列に並んでおり、それぞれの区画に一つずつ区分棚２１が装備されている。
区分棚２１は、何れも、区画の一側を画するとともに複数の棚の支持機能を発揮する側板２２と、縦一列に並んで側板２２に固定された八段の棚板２３と、棚板２３の上面の周縁部のうち側板２２の無い部位に立設された塀状部材２４と、区分棚２１を前方へ引出可能にするためのスライダ２５と、区分受部材２６とを具備している。
【００３７】
棚板２３は、何れも、従来品と同じく上面の平坦な板体からなり、横幅も従来と同等で良いが、奥行きが従来品より長くて二倍〜三倍ほどになっているので、薬剤の収納量（より実用的な観点からは薬剤容器４３の搭載数）が増えている。その代わり、前からだけでは奥寄りの薬剤やその容器４３を取り出し難くなっているので、区分棚２１を引き出したときに側板２２の反対側が解放されるようになっていて、その解放側面から容易に薬剤等を出し入れすることができる。しかも、棚板２３の前端部の上面は、解放側面に加えて前面も解放されているので、使用頻度の高い薬剤の収納に適している。
【００３８】
塀状部材２４は、棚板２３の上面のうち解放側面寄り部位に加えて、前後の部位や、内側でも区切っておきたい適宜部位などに設けられており、区分棚２１の出し入れ時の一寸した揺れなどで薬剤が棚板２３から滑り落ちるを防止するためのものなので、薬剤や薬剤容器４３の出し入れの邪魔にならないように、背の低いものが設けられている。図示の塀状部材２４は連続しているが、完全に連続していることは必須でなく、落下防止機能が発揮できれば良いので、薬剤や薬剤容器４３の短辺より小さな欠け等は有っても良い。
【００３９】
スライダ２５は、区分棚２１の引出方向である前後方向に長く延びた引出機構の可動部であり、本例では区分棚２１の最下部にだけ装備されているが、区分棚２１の最上部だけや上下双方に設けても良い。また、スライダ２５の個数や配置に関して、図示のような中央の一カ所か、図示を割愛した複数箇所が、採用されるが、その際、該当する区画における左右方向の配置位置として左右対称位置が採用されている。
そして、そのような位置にスライダ２５を装備した棚部２０は、側板２２を左方に配した図示の区分棚２１に限らず、それとは左右対称的に側板を右方に配した不図示の区分棚も、同じ区画に付け替えることができるものとなっている。
【００４０】
区分受部材２６は、上述した載置受部材３２を少し小さくして台部３０の上部でなく区分棚２１に組み込んだようなものであり、図示の例では夫々の区分棚２１の下部に一つずつ組み込まれて、最下の棚板２３の直ぐ下であってスライダ２５の直ぐ上の所に位置しているが、区分棚２１の他の部位に装備されていても良く、複数設けられても良い。。
区分受部材２６も、載置受部材３２と同じく調剤時に調剤対象部材を載せておくためのものなので、同様に上面の平坦な板状体からなり、同様に横たえて組み込まれていて、区分棚２１から進退させうる可動状態で区分棚２１に付設されたものとなっている。
【００４１】
とはいえ、区分受部材２６は、載置受部材３２とは取り付け箇所が異なるので、載置受部材３２とは異なり、区分棚２１が前方で十分に引き出されたときにだけ側方へ引き出すことができるようになっている。それ以外のときには、棚部２０に対する区分棚２１の収納を妨げないように、区分受部材２６は区分棚２１の中に押し込んで置かれる。
このような区分受部材２６，２６，…は、区分棚２１から側方へ突き出た調剤時使用可能状態と、区分棚２１から側方へ不所望には突き出でていない不使用時状態とを、選択的に採りうる可動状態で区分棚２１に付設されたものとなっている。
【００４２】
なお、区分受部材２６は棚部２０の下部に組み込まれており、載置受部材３２は台部３０の上部に組み込まれており、棚部２０と台部３０は上下に配置されているので、区分受部材２６と載置受部材３２とがぶつかって干渉するいった不都合な状態が生じるおそれは無い。区分棚２１の最も下のスライダ２５が載置受部材３２と干渉することも無い。
また、図示は割愛したが、区分受部材２６にも載置受部材３２にも不使用時状態を継続させる状態安定化手段が付設されている。
状態安定化手段は、永久磁石と鉄片を用いた所謂マグネットキャッチや、軽く押し込むとラッチされ更に押し込むとラッチが解除されるラッチ機構など、簡素なものが良い。
【００４３】
この実施例１の調剤台１０について、図２の外観斜視図を引用して更に説明するが、調剤台１０は基本的に該当部材を人手で作動させるものなので、以下、使用態様を中心に説明する。
【００４４】
先ず、調剤台１０の台部３０に収納しておく薬剤等は、従来通り、該当する引出３１を引き出してそこに出し入れする。
これに対し、棚部２０に収納する薬剤は、必須ではないが大抵は薬剤容器４３に収容しておき、薬剤容器４３を棚板２３の上に並べて置くことで、該当する区分棚２１に収納するのであるが、従来と異なり、区分棚２１ひいては棚板２３の奥行きが増して、そこに薬剤容器４３を前後に複数個たとえば四個ほど並べられるようになっているので、区分棚２１の前端に置く薬剤容器４３を除き二番目以降の薬剤容器４３は、該当する区分棚２１を棚部２０から前方へ引き出した状態で解放側面から行う。
【００４５】
棚部２０に収納された薬剤容器４３やそれに収容されている薬剤を取り出すときも、区分棚２１の前端に置かれたものは区分棚２１を引き出さなくても直ちに取り出せるが、棚部２０の内側に位置している薬剤容器４３に係るものは、該当する区分棚２１を棚部２０から前方へ引き出して（図２では左端の区分棚２１を参照）、その解放側面から取り出す（図２では下からも前からも二番目のものと下から三番目で最奥のものとを参照）。
薬剤の取り出しは、薬剤容器４３を取り出すことなく薬剤容器４３の上の隙間から中の薬剤だけを抜き取ることで行っても良いが、ここでは先ず薬剤容器４３を取り出して薬剤容器４３の上方を大きく解放し、そこから薬剤を取り出す遣り方について詳述する。
【００４６】
この遣り方では、該当する区分棚２１を引き出した後で薬剤容器４３を取り出す前に、その区分棚２１から区分受部材２６を右方へ引き出しておくのが良い。
そうすることで、区分棚２１から取り出した薬剤容器４３，４３を区分受部材２６の上に一時的に置いておけるので、薬剤容器４３から必要な薬剤を取り揃える調剤行為が楽な姿勢で行えるので、能率も良く、間違いも起き難い。
【００４７】
また、薬剤容器４３から取り出した薬剤を収容するための薬剤収集箱４２や、調剤指示箋や処方箋といった調剤指示部材４１は、台部３０から載置受部材３２を引き出しておいて、その上に載せて置く。このような載置受部材３２と区分受部材２６との使い分けは必須では無いので、両部材３２，２６同時でも一方の部材だけでも使い方は自由であるが、それ又はそれらを載置に使用することで、調剤者の手が空くので、区分棚２１の引き出し行為や薬剤容器４３の取り出し行為についても、楽な姿勢で行うことができる。
そして、一つの区分棚２１に係る薬剤を総て取り出したら、そこの区分受部材２６を区分棚２１の中に押し戻し、更に該当する区分棚２１を棚部２０の中に押し戻す。
【００４８】
他の薬剤も取り揃える必要があれば、他の該当する区分棚２１について、上述の行為を繰り返し行う。
そして、必要な薬剤のうち調剤台１０に収容されていた薬剤が総て薬剤収集箱４２の中に収まったら、調剤指示部材４１や薬剤収集箱４２を手にし、それから載置受部材３２を台部３０の中に押し戻す。
こうして、棚部２０に従来より多くの薬剤容器４３を収納した調剤台１０からも、滞りなく必要な薬剤を取り出して収集することができる。
【実施例２】
【００４９】
本発明の調剤台の実施例２について、その具体的な構成等を、図面を引用して説明する。図３は、（ａ）が平面図、（ｂ）が正面図、（ｃ）が右側面図、（ｄ）が斜視図である。
【００５０】
調剤台６０は、基本的構造を上述の調剤台１０から引き継いでおり、上述した区分棚２１，側板２２，棚板２３，塀状部材２４，区分受部材２６がそれぞれ少しだけ改造された区分棚６１，側板６２，棚板６３，塀状部材６４，区分受部材６６になっている。
具体的には、区分棚６１の奥行きが区分棚２１より長くなって、棚部が台部より少し大きくなっている。そして、それに随伴して、区分受部材６６も前後に長くなり、調剤対象部材を載せて置ける面積が広くなっている。しかも、区分棚６１が長くなった分だけ、それを収納する棚部も後方へ伸び、棚部の後端部が台部から後方へ出ているので、区分棚６１を前方へ引き出したときでも、前後のバランスが良くて、調剤台６０が安定する。
【００５１】
また、左側の四っつの区分棚６１は区分棚２１と同じく側板６２が左に配置されているが、右側の三つの区分棚６１は区分棚２１と異なり側板６２が右に配置されている。
そのため、調剤台６０は、その前方だけで調剤など必要な行為を済ませることができるものとなっている。具体的には、左側の区分棚６１に対して薬剤を出し入れするときには調剤台６０の右側部分の前に立ち、右側の区分棚６１に対して薬剤を出し入れするときには調剤台６０の左側部分の前に立つことで、調剤台６０の前だけでも調剤等が行える。
【００５２】
さらに、側板６２の前端部には欠け６２ａが切欠形成されているので、最前の薬剤容器４３については、薬剤を出し入れし易い向きが前からと側板６２の無い方からとに限られず、側板６２の有る方からも容易に薬剤を出し入れできるものとなっている。
また、塀状部材６４は、薬剤の出し入れ頻度の高い最前部には塀状部材２４と同等の高さのものが設けられているが、それより後方の部位には、薬剤の出し入れ頻度が相対的に低いうえ、薬剤の出し入れ方向が側方に限られていて薬剤の出し入れが相対的に遣りづらいこともあるため、塀状部材２４より少し低い固形の部材か、塀状部材２４よりかなり低いが滑り難い性質の軟質部材などが、用いられている。
【００５３】
［その他］
上記実施例では、載置受部材や区分受部材が載置用板体や区分受用板とも言える板状部材になっていたが、それらの部材は使用目的に適うものであれば板状でなくても良い。
それらの可動状態についても、上例では載置受部材や区分受部材が前や横へ進退可能な状態で保持されて手動の引き出しや押し込みにて姿勢等の状態を切り替えるようになっていたが、その状態切替は、手動に限られる訳でなく例えばモータ駆動等によってなされるものであっても良く、横向き姿勢のまま水平移動する態様に限られる訳でもなく、例えば、一端部を軸支されて、そこを中心に揺動可能になっていて、載置使用に適う水平な突き出し姿勢と、突き出し不要時の垂下姿勢や後退姿勢と、を切り替えるものでも良い。
【００５４】
上記実施例では、棚部を複数の区画に分けるときに全部を列単位で分割して縦長の区分棚が横一列に並んでいたが、棚部の区画分けは、それに限定される訳でなく、棚部の一部など部分的に行っても良く、上下の区分を排除するものでもない。
上記実施例では、区分棚の片面が総て又は前端部を除いた片面の大部分が側板にて塞がれていたが、区分棚の強度や剛性に不足が無く、さらに棚から薬剤が溢れ落ちるといった不都合も無ければ、区分棚の両側面が大きく解放されていても良い。
【００５５】
また、区分棚の引き出し方についても、手動に限られる訳でなく、案内表示や支援駆動などが有っても良い（例えば特開２００７−７０９３号公報や特開２０１３−２５５７２４号公報など参照）。
さらに、区分棚への薬剤収納や区分棚からの薬剤取出についても、目視確認だけで行うのでなく、適宜なシステムの支援を受けられるようにすると更に良い（例えば特開２００６−２４７１５０号公報や特開２０１５−２０８５２８号公報など参照）。
【００５６】
上記実施例では、区分受部材２６，６６が区分棚２１，６１の解放側面の方へ進出するようになっていたが、区分受部材２６，６６が側板２２，６２の方へも進出できるようになっていても良い。そうすることで、離れている他の区分受部材２６，６６に対して薬剤の出し入れを行うときなどにも調剤対象部材を載せ置くのに使用することができる。
上記実施例では、区分棚２１，６１の後端に背板の無いものを図示したが、区分棚２１，６１の後端に背板が有っても良い。
上記実施例２では、左から四番目の区分棚６１と右から三番目の区分棚６１との間に側板６２が来ない配置になっていたが、そのような棚間に平板を装着するのも良い。
【符号の説明】
【００５７】
１０…調剤台、
２０…棚部、
２１…区分棚（区画）、２２…側板、２３…棚板、
２４…塀状部材、２５…スライダ、２６…区分受部材、
３０…台部、
３１…引出、３２…載置受部材、３３…把手、
４１…調剤指示部材（調剤対象部材）、
４２…薬剤収集箱、４３…薬剤容器、
６０…調剤台、
６１…区分棚（区画）、６２…側板、６２ａ…欠け、
６３…棚板、６４…塀状部材、６６…区分受部材
【図１】
2020146192.tif 000003
【図２】
2020146192.tif 000004
【図３】
2020146192.tif 000005